(57)【要約】【課題】使用する材料を削減し、さらにレフィル容器を利用して化粧料容器の美観を向上させる化粧料容器、および、単体でも使用することができるレフィル容器を提供する。【解決手段】容器本体、および、前記容器本体を開閉する蓋を備え、前記容器本体にレフィル容器が収容された化粧料容器であって、前記容器本体には、レフィル容器を収容する収容部が設けられ、前記容器本体の底面には、前記収容部と連通する開口部が設けられ、前記レフィル容器は、透明な本体および前記本体の表面に付着された保護シールを有し、前記本体は、フランジ部および前記フランジ部から下方に突出する化粧料収容部を有し、前記レフィル容器が前記容器本体の収容部に着脱可能に取り付けられており、前記容器本体の開口部から、前記レフィル容器の化粧料収容部内の化粧料が見える。【選択図】図１
2019050946.tif 000002
【特許請求の範囲】
【請求項１】
容器本体、および、前記容器本体を開閉する蓋を備え、前記容器本体にレフィル容器が収容された化粧料容器であって、
前記容器本体には、レフィル容器を収容する収容部が設けられ、前記容器本体の底面には、前記収容部と連通する開口部が設けられ、
前記レフィル容器は、透明な本体、および、前記本体の表面に付着された保護シールを有し、前記本体は、フランジ部および前記フランジ部から下方に突出する化粧料収容部を有し、
前記レフィル容器が前記容器本体の収容部に着脱可能に取り付けられており、前記容器本体の開口部から、前記レフィル容器の化粧料収容部内の化粧料が見えることを特徴とする化粧料容器。
【請求項２】
前記容器本体の収容部の対向する内側面にそれぞれ溝が設けられており、前記レフィル容器のフランジ部の周縁を、前記溝に挿入することにより、前記レフィル容器は前記容器本体の収容部に着脱可能に取り付けられていることを特徴とする請求項１に記載の化粧料容器。
【請求項３】
前記レフィル容器の化粧料収容部の底面は多面形状であることを特徴とする請求項１または２に記載の化粧料容器。
【請求項４】
前記保護シールは、前記本体に付着される側の面が金属光沢であることを特徴とする請求項１〜３のいずれか１項に記載の化粧料容器。
【請求項５】
前記レフィル容器の本体に化粧用具収容部が設けられていることを特徴とする請求項１〜４のいずれか１項に記載の化粧料容器。
【請求項６】
前記容器本体の開口部から、前記レフィル容器の化粧用具収容部内の化粧用具が見えることを特徴とする請求項５に記載の化粧料容器。
【請求項７】
前記容器本体に化粧用具収容部が設けられていることを特徴とする請求項１〜４のいずれか１項に記載の化粧料容器。
【請求項８】
前記蓋の内面に鏡が設けられていることを特徴とする請求項１〜７のいずれか１項に記載の化粧料容器。
【請求項９】
前記蓋の内面にリブが設けられており、前記リブは、前記蓋を閉じた時に、前記レフィル容器本体のフランジ部に当接することを特徴とする請求項１〜８のいずれか１項に記載の化粧料容器。
【請求項１０】
化粧料容器に着脱可能に取り付けられるレフィル容器であって、
透明な本体、および、前記本体の表面に付着された保護シールを有し、
前記本体は、フランジ部、前記フランジ部から下方に突出し、化粧料が収容された化粧料収容部および化粧用具が収容された化粧用具収容部を有し、
前記レフィル容器の化粧料収容部の底面は多面形状であり、
前記保護シールは、前記フランジ部と接する面が、金属光沢であることを特徴とするレフィル容器。
【発明の詳細な説明】
【技術分野】
【０００１】
本発明は、レフィル容器が収容された化粧料容器、および、化粧料容器に用いられるレフィル容器に関する。
【背景技術】
【０００２】
粉末または固形の化粧料が収容されたコンパクトなどの化粧料容器には、資源の無駄を省くエコの観点から、中皿を着脱可能なレフィル容器とすることにより、中皿だけを交換して、化粧料容器自体は繰り返し使用できるものが多数、存在している（特許文献１，２参照）。
【０００３】
さらに資源の無駄を省くためには、レフィル容器を使用するだけではなく、容器に使用する材料の削減を図ることも必要であり、材料削減を目的とした発明（特許文献３）も存在する。
【先行技術文献】
【特許文献】
【０００４】
【特許文献１】特開２００５−１６０５９３号公報
【特許文献２】特開２０１４−１２４４５６号公報
【特許文献３】特開２０１６−８３０６６号公報
【発明の概要】
【発明が解決しようとする課題】
【０００５】
しかしながら、金属あるいは樹脂などの中皿を用いているだけでは材料の使用量の削減が不十分であり、また、さらなる資源の削減のためには、化粧料容器の材料につていも削減が必要である。また、使用されるレフィル容器は、化粧料容器に取り付けられることを想定しており、店頭で販売されている状態では、美観の点で優れているとは言えず、また、レフィル容器単体で化粧料を使用することはできないという問題がある。
【０００６】
そこで、本発明は、使用する材料を削減し、さらに、レフィル容器を利用して化粧料容器の美観を向上させる化粧料容器、および、美観に優れ単体でも使用することができるレフィル容器を提供することを目的とする。
【課題を解決するための手段】
【０００７】
本発明の化粧料容器は、容器本体、および、前記容器本体を開閉する蓋を備え、前記容器本体にレフィル容器が収容された化粧料容器であって、前記容器本体には、レフィル容器を収容する収容部が設けられ、前記容器本体の底面には、前記収容部と連通する開口部が設けられ、前記レフィル容器は、透明な本体、および、前記本体の表面に付着された保護シールを有し、前記本体は、フランジ部および前記フランジ部から下方に突出する化粧料収容部を有し、前記レフィル容器が前記容器本体の収容部に着脱可能に取り付けられており、前記容器本体の開口部から、前記レフィル容器の化粧料収容部内の化粧料が見えることを特徴とする。
【０００８】
前記容器本体の収容部の対向する内側面にそれぞれ溝が設けられており、前記レフィル容器のフランジ部の周縁を、前記溝に挿入することにより、前記レフィル容器は前記容器本体の収容部に着脱可能に取り付けられている。
【０００９】
前記レフィル容器の化粧料収容部の底面は多面形状であり、さらに、前記保護シールは、前記本体に付着される側の面が金属光沢である。  
【００１０】
前記レフィル容器の本体に化粧用具収容部が設けられており、さらに、前記容器本体の開口部から、前記レフィル容器の化粧用具収容部内の化粧用具を見ることができる。
【００１１】
前記容器本体に化粧用具収容部が設けられており、化粧用具が収容されている。
【００１２】
前記蓋の内面には鏡が設けられている。
【００１３】
前記蓋の内面にリブが設けられており、前記リブは、前記蓋を閉じた時に、前記レフィル容器本体のフランジ部と当接する。  
【００１４】
本発明のレフィル容器は、化粧料容器に着脱可能に取り付けられるレフィル容器であって、透明な本体、および、前記本体の表面に付着された保護シールを有し、前記本体は、フランジ部、前記フランジ部から下方に突出し、化粧料が収容された化粧料収容部、および、化粧用具が収容された化粧用具収容部を有し、前記レフィル容器の化粧料収容部の底面は多面形状であり、前記保護シールは、前記フランジ部と接する面が、金属光沢であることを特徴とする。
【発明の効果】
【００１５】
本発明の化粧料容器は、容器本体、および、前記容器本体を開閉する蓋を備え、前記容器本体にレフィル容器が収容された化粧料容器であって、前記容器本体には、レフィル容器を収容する収容部が設けられ、前記容器本体の底面には、前記収容部と連通する開口部が設けられ、前記レフィル容器は、透明な本体、および、前記本体の表面に付着された保護シールを有し、前記本体は、フランジ部および前記フランジ部から下方に突出する化粧料収容部を有し、前記レフィル容器が前記容器本体の収容部に着脱可能に取り付けられており、前記容器本体の開口部から、前記レフィル容器の化粧料収容部内の化粧料が見えることにより、レフィル容器および容器本体に使用される材料の削減が可能となり、さらに、容器本体の開口部から化粧料が見えることで、蓋を開けることなく中身が確認でき、さらに底面側の美観を高めることができる。
【００１６】
前記容器本体の収容部の対向する内側面にそれぞれ溝が設けられており、前記レフィル容器のフランジ部の周縁を、前記溝に挿入することにより、前記レフィル容器は前記容器本体の収容部に着脱可能に取り付けられていることにより、前記レフィル容器を簡単に着脱することができるだけでなく、確実に前記容器本体に固定することができる。  
【００１７】
前記レフィル容器の化粧料収容部の底面は多面形状であり、さらに、前記保護シールは、前記フランジ部と接する面が金属光沢であることにより、レフィル容器単体での美観に優れ、かつ、前記容器本体に収容された状態でも前記開口部を通じて従来にはない美観の向上が可能となる。
【００１８】
前記レフィル容器の本体に化粧用具収容部が設けられていることにより、前記レフィル容器単体でも使用することが可能となり、さらに、前記容器本体の開口部から、前記レフィル容器の化粧用具収容部内の化粧用具を見ることができることにより、前記化粧用具収容部に収容された化粧用具を取り出す際に、前記化粧用具収容部の底面を指で押すことでスムーズに前記化粧用具を取り出すことが可能となり、また、前記開口部によって、前記蓋を開けることなく、前記化粧用具収容部に収容されている前記化粧用具を確認することが可能となる。
【００１９】
前記容器本体に化粧用具収容部が設けられており、化粧用具が収容されていることにより、前記化粧用具を繰り返し使用し、化粧料だけを交換することで、低コストで新しい化粧料に交換することが可能となる。
【００２０】
前記蓋の内面には鏡が設けられていることにより、前記鏡によって前記化粧料収容部の周囲が光を反射して、前記開口部を通じて従来にはない美観の向上が可能となる。
【００２１】
前記蓋にリブが設けられており、前記リブは、前記蓋を閉じた時に、前記レフィル容器本体のフランジ部の一部と当接することにより、前記化粧料容器を持ち運ぶ際に、前記レフィル容器のガタツキを防止することができる。
【００２２】
本発明のレフィル容器は、化粧料容器に着脱可能に取り付けられるレフィル容器であって、透明な本体、および、前記本体の表面に付着された保護シールを有し、前記本体は、フランジ部、前記フランジ部から下方に突出し、化粧料が収容された化粧料収容部および化粧用具が収容された化粧用具収容部を有し、前記レフィル容器の化粧料収容部の底面は多面形状であり、前記保護シールは、前記フランジ部と接する面が、金属光沢であることにより、レフィル容器単体でも化粧用具を用いて化粧料を使用することが可能となり、低コストの化粧料容器として使用することができ、また、収容されている化粧料および化粧用具が外部から簡単に確認でき、さらに、底面から見た時、従来のレフィル容器には無い優れた美観を呈することができる。
【図面の簡単な説明】
【００２３】
【図１】本発明の第１の実施形態の化粧料容器の蓋を開けた状態の斜視図である。
【図２】第１の実施形態の化粧料容器の容器本体の斜視図である。
【図３】本発明のレフィル容器の斜視図であり、（ａ）は保護シールを開ける前の状態、（ｂ）は保護シールを開ける途中の状態、（ｃ）は保護シールを取り外した状態を示す。
【図４】第１の実施形態の化粧料容器の底面図である。
【図５】第１の実施形態の化粧料容器の断面図および、一部を拡大した断面図である。
【図６】第１の実施形態の化粧料容器の一部を拡大した断面図であり、（ａ）は蓋および保護シールを閉じた状態、（ｂ）は蓋および保護シールを開いた状態を示す。
【図７】本発明の第２の実施形態の化粧料容器の蓋を開けた状態の斜視図である。
【図８】第２の実施形態の化粧料容器の容器本体の斜視図である。
【図９】レフィル容器の斜視図であり、（ａ）は保護シールを開ける前の状態、（ｂ）は保護シールを開ける途中の状態、（ｃ）は保護シールを取り外した状態を示す。
【図１０】第２の実施形態の化粧料容器の底面図である。
【図１１】第２の実施形態の化粧料容器の断面図および、一部を拡大した断面図である。
【図１２】第２の実施形態の化粧料容器の一部を拡大した断面図であり、（ａ）は蓋および保護シールを閉じた状態、（ｂ）は蓋および保護シールを開いた状態を示す。
【発明を実施するための形態】
【００２４】
本発明の化粧料容器１およびレフィル容器２１について、図を用いて以下に詳細に説明する。本発明の化粧料容器１は、粉末または固形の化粧料および化粧用具を収容するコンパクトなどの容器であり、本発明のレフィル容器２１が、着脱可能に取り付けれている。図１に示すのが、本発明の第１の実施形態の化粧料容器１の蓋４を開けた状態の斜視図であり、図４に示すのが化粧料容器１の底面図である。
【００２５】
本発明の第１の実施形態の化粧料容器１は、図１に示すように、１つの収容部３が設けられた容器本体２、および、前記容器本体２を開閉する蓋４を備え、前記収容部３に、本発明のレフィル容器２１が着脱可能に収容されている。前記容器本体２の底面には、図２に示すように、前記収容部３と連通する２つの開口部７が設けられており、図５に示すように、前記収容部３の対向する内側面には２つの溝５が設けられている。
【００２６】
前記蓋４はヒンジ係合によって前記容器本体２に開閉可能に取り付けられており、前記蓋４に設けられたフック９が前記容器本体２の係合部１０に係合することで、前記蓋４は前記容器本体２を閉じた状態で固定される。そして、図１，２に示すように、前記蓋４の内面には鏡６、および、２つの平行なリブ８が設けられている。
【００２７】
本発明のレフィル容器２１は、図３に示すように、透明な本体２２および前記本体２２の表面に取り外し可能に付着された保護シール２３を有しており、未使用の状態では、図３（ａ）に示すように、前記保護シール２３が前記本体２２に付着された状態であり、使用する際には、図３（ｂ），（ｃ）に示すように、前記保護シール２３を取り外して使用する。前記保護シール２３は、粘着剤／接着剤（易剥離性接着剤）による粘着／接着、超音波または熱による溶着などの手段を用いて前記本体２２の表面に取り外し可能に付着されている。さらに、前記保護シール２３は、前記本体２２から完全に取り外さないで、一部を付着させた状態とするために、端部を前記本体２２に強固に付着させることも可能である。
【００２８】
前記本体２２は、図３（ｃ）に示すように、フランジ部２４、前記フランジ部２４から下方に突出する４つの化粧料収容部２５および１つの化粧用具収容部２６を有しており、透明なポリエチレンテレフタレート（ＰＥＴ）樹脂を用いた真空成形によってによって一体成形されており、前記化粧料収容部２５には、異なる色または種類の化粧料２７を収容することができ、前記化粧用具収容部２６には、化粧料に合わせた化粧用具２８が収容されている。前記フランジ部２４の厚みは、０．３〜１．０ｍｍの薄肉とすることが好ましく、これにより、衝撃を吸収し、さらに、使用する材料を少なくすることができる。前記化粧料収容部２５は、図４に示すように、多面形状に形成されており、これにより、前記化粧料収容部２５内の化粧料２７の色との相乗効果により優れた美観を呈することができる。前記本体２２の材質はＰＥＴ樹脂に限定するものではなく、他の樹脂を用いることも可能である。
【００２９】
前記保護シール２３は、前記フランジ部２４と接する側の面が金属光沢を有しており、反対側の表面には商品名、化粧料２７の種類、加飾などを施すことができる。前記保護シール２３が前記本体２２に付着された状態では、前記保護シール２３の裏面は、前記フランジ部２４を通して見えることから、金属光沢によって前記化粧料収容部２５の周囲は光を反射し、美観をより高めることができる。
【００３０】
また、前記保護シール２３の端部には、孔２９を有する三角形の突出部３０が、前記フランジ部２４からはみ出すように設けられており、前記レフィル容器２１を販売する際には前記孔２９を利用して吊るした状態で陳列することができ、この時に、前記レフィル容器２１の裏面を正面とすることで、前記化粧料２７の色などを直接見て確認することができ、また、前記化粧料収容部２５の多面形状と前記保護シール２３の金属光沢によって、非常に綺麗な美観を呈することができる。また、三角形の突出部３０を利用することで、前記保護シール２３の取り外しが容易になる。
【００３１】
前記レフィル容器２１は、図５に示すように、前記フランジ部２４の周縁の一部を、前記容器本体２の収容部３の溝５に挿入することで、前記容器本体２に着脱可能に取り付けられている。前記レフィル容器２１を着脱する際は、前記レフィル容器２１を変形させることで簡単に着脱することができる。前記レフィル容器２１は本体２２が樹脂による一体成形であり、前記フランジ部２４が薄肉であることから、簡単に変形させることができ、前記容器本体２の収容部３の溝５に繰り返し着脱させることもできる。
【００３２】
前記容器本体２の溝５を設ける位置については、前記容器本体２の形状によっては、前記収容部３の前後の内側面ではなく、左右の内側面に設けることも可能である。例えば、前記容器本体２が横長の形状であれば、前記収容部３の左右の内側面に設けた方が、前記レフィル容器２１は着脱し易くなる。また、前記容器本体２を横長にした場合、前記レフィル容器２１は、前記化粧料収容部２５と前記化粧用具収容部２６とを左右に並べて配置することも可能である。
【００３３】
前記レフィル容器２１は、図１に示すように、前記保護シール２３を完全に取り外した状態で前記容器本体２に取り付けて使用することができるが、前記保護シール２３を完全に取り外さないで前記保護シール２３の縁の付近を前記本体２２に付着させた状態で前記容器本体２に取り付けて使用することも可能であり、前記保護シール２３を中蓋として利用し、前記化粧料収容部２５および前記化粧用具収容部２６を開閉し、前記化粧料２７の蒸発を防止することも可能である。
【００３４】
前記保護シール２３を完全に取り外さない場合、図３（ｂ）に示すように、縁を前記本体２２に付着させておき、図６（ａ）に示すように、前記フランジ部２４と共に前記保護シール２３の縁を、前記容器本体２の収容部３の溝５に挿入して前記レフィル容器２１を取り付けることにより、図６（ｂ）に示すように、前記保護シール２３を開けて使用することも可能であり、前記保護シール２３を中蓋として使用することができる。
【００３５】
このようにして前記保護シール２３を使用する場合、前記保護シール２３を、前記突出部３０の方から少しだけ取り外した状態で前記容器本体２の溝５に挿入して固定し、その後、前記保護シール２３の残りの部分を取り外すことにより、前記保護シール２３は前記溝５に挿入されている部分は取り外されないで、前記本体２２と付着した状態とすることができる。このように、前記保護シール２３を取り外さないで使用する場合、図６（ｂ）に示すように、前記保護シール２３を使用者の方に裏返して開くようになることから、前記保護シール２３の金属光沢によって使用者の顔にレフ板の効果を与えることができるようになる。
【００３６】
前記保護シール２３を完全に取り外した場合、図５に示すように前記容器本体２の開口部７から前記レフィル容器２１の底面を見た時に、前記保護シール２３の代わりに、前記蓋４の鏡６が、前記フランジ部２４を通して見えることから、前記鏡６によって前記化粧料収容部２５の周囲は光を反射することができ、保護シール２３と同じ効果を奏することができる。
【００３７】
前記容器本体２の底面の開口部７の数は特に限定するものではなく、２つの前記開口部７を繋げて１つとすることも可能であり、前記レフィル容器２１の１つの化粧料収容部２５の数に合わせて１つの開口部７を４つに分割することも可能である。また、前記開口部７の形状についても、様々な形状が可能であり、前記化粧料収容部２５に合わせた形状とすることも可能である。また、前記開口部７の大きさについても変更可能であり、例えば、前記化粧用具収容部２６を隠すような大きさとすることも可能である。前記開口部７を設けることによって、前記化粧料容器１の材料の使用量を低減させることができるようになる。そのためには、前記容器本体２の強度を考慮しながら、前記開口部７の形状などについては設定する。
【００３８】
前記化粧用具収容部２６に収容された化粧用具２８を取り出す際に、前記容器本体２の開口部７を利用して前記化粧用具収容部２６の底面を指で押すと、前記化粧用具収容部２６が変形し、上方に突出することから、スムーズに前記化粧用具２８を取り出すことができるという効果を奏する。また、前記開口部７によって、前記蓋４を開けることなく、前記化粧用具収容部２６に収容されている前記化粧用具２８を確認することが可能となる。
【００３９】
前記蓋４に設けられた２つのリブ８は、前記蓋４を閉じた時に、図５，６に示すように、前記リブ８は前記レフィル容器２１のフランジ部２４に上から当接する。この時、前記フランジ部２４は前記リブ８と前記容器本体２の収容部３の縁によって上下に挟まれた状態となっており、これにより、前記蓋４を閉じた時に、前記レフィル容器２１を上下方向に固定することできるので、前記化粧料容器１を持ち運ぶ時などに、前記レフィル容器２１のガタツキを防止することができる。
【００４０】
本発明の化粧料容器１は、前記容器本体２に開口部７を設けていることにより、従来と比較して使用する樹脂量を削減することが可能となり、また、前記開口部７を通じて、前記容器本体２の底面から前記化粧料２７を確認することができ、さらに、底面の美観を向上させることができる。そして、前記レフィル容器２１は、前記フランジ部２４を利用して、着脱可能に前記容器本体２に取り付けられており、前記リブ８によって上下方向に固定されていることから、衝撃などが加えられても前記レフィル容器２１は外れ難くなる。
【００４１】
本発明のレフィル容器２１は、本発明の化粧料容器１に取り付けた状態で使用することができるが、単体でも使用可能であり、使い捨ての化粧料容器として使用することも可能である。前記レフィル容器２１には前記化粧用具２８が収容されていることから、前記保護シール２３を取り外すと、前記化粧料容器１が無くても、化粧料収容部２５に収容された化粧料２７、および、化粧用具収容部２６に収容された化粧用具２８を使用できる状態となる。前記レフィル容器２１のフランジ部２４は所定の強度を有していることから、前記フランジ部２４を手で持ちながら、前記化粧用具２８を利用して化粧料２７を簡単に塗布することができる。
【００４２】
本発明のレフィル容器２１を単体で使用する場合、前記保護シール２３の縁を前記フランジ部２４に付着させた状態とすることで、前記保護シール２３を蓋の代わりに利用することも可能である。この場合、前記保護シール２３を閉じた状態とするために、別途の固定手段を設ける、あるいは、前記化粧用具収容部２６内に別途の固定手段を収容しておくことも可能である。また、前記化粧料収容部２５の容積を小さくして化粧料２７の量を少なくすることで、前記レフィル容器２１を、例えば短期間で使い捨てする用途に限定することも可能である。
【００４３】
このように、本発明のレフィル容器２１は、化粧用具２８によって化粧料２７を使用することができることから、レフィル用途だけではなく、低コストの化粧料容器として使用することができ、そのため、様々な色、種類の化粧料２７およびそれに合わせた化粧用具２８を用意することで、使用者が気軽に購入して化粧することができるので、化粧品を忘れた際の緊急時、または旅行先などでもコストを気にせずに新しい化粧品を購入して使用することができるようになる。また、店頭で販売されている状態でも、化粧料２７と化粧用具２８を直接見て確認することができ、その際の美観も従来のレフィル容器にはない新たな印象を与えることができるようになる。
【００４４】
次に、本発明の第２の実施形態の化粧料容器３１について説明する。図７に示すのが、第２の実施形態の化粧料容器３１であり、前記化粧料容器３１は、収容部３３および化粧用具収容部４１が設けられた容器本体３２、および、前記容器本体３２を開閉する蓋３４を備え、前記収容部３３にレフィル容器５１が着脱可能に収容されている。前記容器本体３２の底面には、図８に示すように、前記収容部３３と連通する１つの開口部３７が設けられており、前記収容部３３の対向する内側面には、２つの溝３５が設けられている。前記化粧用具収容部４１には、使用する化粧料に合わせた化粧用具４２が収容されている。
【００４５】
前記蓋３４はヒンジ係合によって前記容器本体３２に開閉可能に取り付けられており、前記蓋３４に設けられたフック３９が前記容器本体３２の係合部４０に係合することで、前記蓋３４は前記容器本体３２を閉じた状態で固定される。そして、図７，８に示すように、前記蓋３４の内面には鏡３６、および、２つの平行なリブ３８が設けられている。
【００４６】
レフィル容器５１は、透明な本体５２および前記本体５２の表面に付着された保護シール５３を有しており、未使用の状態では、図９（ａ）に示すように、前記保護シール５３が前記本体５２に着脱可能に付着された状態であり、使用する際には、図９（ｂ），（ｃ）に示すように、前記保護シール５３を取り外して使用する。前記本体５２は、図９（ｃ）に示すように、フランジ部５４、および、前記フランジ部５４から下方に突出する４つの化粧料収容部５５を有しており、透明なＰＥＴ樹脂によって一体成形されている。前記化粧料収容部５５は、図１０に示すように、多面形状に形成されている。前記本体５２はＰＥＴ樹脂だけでなく、他の樹脂を用いることも可能である。
【００４７】
前記保護シール５３は、前記フランジ部５４と接する側の面が金属光沢を有しており、前記保護シール５３が前記本体５２に付着された状態では、金属光沢によって前記化粧料収容部５５の周囲は光を反射し、前記化粧料収容部５５の多面形状との相乗効果によってより優れた美観を呈することができる。また、前記保護シール５３の端部には、孔５９を有する三角形の突出部６０が設けられており、前記孔５９を利用して前記レフィル容器５１を吊るした状態で陳列して販売することができる。また、前記突出部６０によって、前記保護シール５３を簡単に取り外すことができる。
【００４８】
前記レフィル容器５１は、図１１に示すように、前記フランジ部５４の周縁の一部を、前記容器本体３２の収容部の２つの溝３５に挿入することで、前記容器本体３２に着脱可能に取り付けられている。前記レフィル容器５１は変形し易いことから、簡単に着脱することができる。
【００４９】
前記レフィル容器５１は、前記保護シール５３を、図７に示すように、取り外した状態で前記容器本体３２に取り付けて使用する、あるいは、図９（ｂ）に示すような完全に取り外さないで縁を前記本体５２に付着させた状態で、前記容器本体３２に取り付けて使用することが可能である。前記保護シール５３を取り外さない場合は図１２（ａ）に示すように、前記フランジ部５４と共に前記保護シール５３の縁を、前記容器本体３２の溝３５に挿入して前記レフィル容器５１を取り付けることにより中蓋として使用することができ、図１２（ｂ）に示すように、前記保護シール５３を開けて前記化粧料５７を使用することができる。
【００５０】
前記レフィル容器５１を底面から見た時、前記保護シール５３の金属光沢による光の反射によって優れた美観を呈することができるが、前記保護シール５３を取り外した場合でも、図１０に示すように前記化粧料容器３１の蓋３４を閉じた状態で底面から見た時に、前記フランジ部５４を通じて前記蓋３４に設けられた前記鏡３６によって光が反射して同様の効果を奏することができる。
【００５１】
本実施形態では、前記容器本体３２の開口部３７の数は１つであるが、複数に分割することも可能であり、また、形状および大きさについても、前記収容部３３の範囲内であれば様々な形および大きさが可能である。そして、前記開口部３７を設けることによって、前記化粧料容器３１の材料を削減することができる。
【００５２】
前記蓋３４に設けた２つのリブ３８によって、前記蓋３４を閉じた状態では、前記レフィル容器５１の前記フランジ部５４を上から押える状態となり、前記レフィル容器５１は、前記溝３５だけではなく前記リブ３８によって上下方向に固定されることになり、前記レフィル容器５１をより強固に固定することができるようになる。
【００５３】
本実施形態の化粧料容器３１は、化粧用具４２を容器本体３２に収容することで、前記レフィル容器５１を利用して化粧料５７だけを交換することができることから、低コストで新しい化粧料に交換することができるようになる。
【符号の説明】
【００５４】
１，３１    化粧料容器
２，３２    容器本体
３，３３    収容部
４，３４    蓋
５，３５    溝
６，３６    鏡
７，３７    開口部
８，３８    リブ
９，３９    フック
１０，４０  係合部
２１，５１  レフィル容器
２２，５２  本体
２３，５３  保護シール
２４，５４  フランジ部
２５，５５  化粧料収容部
２６        化粧用具収容部
２７，５７  化粧料
２８        化粧用具
２９，５９  孔
４１        化粧用具収容部
４２        化粧用具
【図１】
2019050946.tif 000003
【図２】
2019050946.tif 000004
【図３】
2019050946.tif 000005
【図４】
2019050946.tif 000006
【図５】
2019050946.tif 000007
【図６】
2019050946.tif 000008
【図７】
2019050946.tif 000009
【図８】
2019050946.tif 000010
【図９】
2019050946.tif 000011
【図１０】
2019050946.tif 000012
【図１１】
2019050946.tif 000013
【図１２】
2019050946.tif 000014